(57)【特許請求の範囲】
【請求項１】
原稿台上に載置された原稿の画像を光ビームの出射により露光しながら走査して読み取る光学ユニットと、
原稿読取装置本体移動時にその筐体内の所定位置に上記光学ユニットをロックし、この光学ユニットがロック状態にあるときに光学ユニットの光ビーム出射領域に突出するロック手段とを具備し、
原稿読取装置本体を所定位置まで移動させて設置した後、光学ユニットによる原稿画像の読み取り前に光学ユニットより光ビームを出射させ、その射出領域への上記ロック手段の突出有無によって、光学ユニットのロック状態の有無を検知するようにしたことを特徴とする原稿読取装置のロック状態検知方法。
【請求項２】
上記請求項１に記載の原稿読取装置のロック状態検知方法において、
光学ユニットは、射出された光ビームの光量分布を検出する光検出手段を具備し、
光学ユニットのロック状態の有無は、上記光検出手段により検出した光ビーム射出領域でのロック手段の突出有無による光量分布に基づいて検知されるようにしていることを特徴とする原稿読取装置のロック状態検知方法。
【請求項３】
上記請求項１に記載の原稿読取装置のロック状態検知方法において、
光学ユニットは、射出された光ビームの光量の減少を検出する光検出手段を具備し、
光学ユニットのロック状態の有無は、上記光検出手段により検出した光ビーム射出領域へのロック手段の突出による光量減少に基づいて検知されるようにしていることを特徴とする原稿読取装置のロック状態検知方法。
【請求項４】
原稿台上に載置された原稿の画像を露光しながら走査して読み取る光学ユニットと、
原稿読取装置本体移動時に、装置筐体内の所定位置に上記光学ユニットをロックし、この光学ユニットがロック状態にあるときに光学ユニットの反射光像の射出領域に突出するロック手段とを具備し、
原稿読取装置本体を所定位置まで移動させて設置した後、光学ユニットによる原稿画像の読み取り前に、光学ユニットより反射光像を読み取り、その射出領域への上記ロック手段の突出有無によって、光学ユニットのロック状態の有無を検出するようにしたことを特徴とする原稿読取装置のロック状態検知方法。
【請求項５】
上記請求項４に記載の原稿読取装置のロック状態検知方法において、
光学ユニットは、反射光像の光量分布を検出する光検出手段を具備し、
光学ユニットのロック状態の有無は、上記光検出手段により検出した反射光像の出射領域でのロック手段の突出有無による光量分布に基づいて検出されるようにしていることを特徴とする原稿読取装置のロック状態検知方法。
【請求項６】
上記請求項４に記載の原稿読取装置のロック状態検知方法において、
光学ユニットは、反射光像の光量分布を検出する光検出手段を具備し、
光学ユニットのロック状態の有無は、上記光検出手段により検出した反射光像の出射領域でのロック手段の突出有無による光量減少に基づいて検出されるようにしていることを特徴とする原稿読取装置のロック状態検知方法。
【請求項７】
原稿台上に載置された原稿の画像を光ビームの出射により露光しながら走査して読み取る光学ユニットと、
原稿読取装置本体移動時にその筐体内の所定位置に上記光学ユニットをロックし、この光学ユニットがロック状態にあるときに光学ユニットの光ビーム出射領域に突出するロック手段と、
このロック手段に対し係脱自在に係合し、ロック手段による光学ユニットのロック解除時にロック手段から離脱してロック解除状態を表示するロック解除表示部材と
を具備し、
原稿読取装置本体を所定位置まで移動させて設置した後、
光学ユニットによる原稿画像の読み取り前に、ロック解除表示部材に対しロック手段から離脱する方向に力を作用させてロック解除状態を表示させるとともに、光学ユニットより射出させた光ビームの射出領域への上記ロック手段の突出有無によって光学ユニットのロック状態の有無を検知するようにしたことを特徴とする原稿読取装置のロック状態検知方法。
【請求項８】
上記請求項７に記載の原稿読取装置のロック状態検知方法において、
光学ユニットは、射出された光ビームの光量分布を検出する光検出手段を具備し、
光学ユニットのロック状態の有無は、上記光検出手段により検出した光ビーム射出領域でのロック手段の突出有無による光量分布に基づいて検知されるようにしていることを特徴とする原稿読取装置のロック状態検知方法。
【請求項９】
上記請求項７に記載の原稿読取装置のロック状態検知方法において、
光学ユニットは、射出された光ビームの光量の減少を検出する光検出手段を具備し、
光学ユニットのロック状態の有無は、上記光検出手段により検出した光ビーム射出領域へのロック手段の突出による光量減少に基づいて検知されるようにしていることを特徴とする原稿読取装置のロック状態検知方法。
【発明の詳細な説明】
【０００１】
【発明の属する技術分野】
本発明は、複写機やファクシミリ、プリンタ、またはこれらを組み合わせた複合機などに搭載される原稿読取装置、或いは単独で用いられる原稿読取装置および原稿読取装置のロック状態検知方法に関し、詳しくは、原稿読取装置内で可動する光学ユニットの移動を阻止するロック手段およびロック手段によるロック状態を検知するものに係わる。
【０００２】
【従来の技術】
一般に、複写機やファクシミリ、プリンタ、またはこれらを組み合わせた複合機などに搭載される原稿読取装置、或いは単独で用いられる原稿読取装置として、原稿台上に載置された原稿の画像を光ビームの出射により露光しながら走査して読み取る移動式の光学ユニットを備えたものが広く知られている。
【０００３】
このような光学ユニットは、走査方向に移動しながら原稿画像に光ビームを照射してその反射した反射光を受光する光源ユニットと、この光源ユニットに対し所定の速度で移動しながら上記反射光を光路下流側の光学系に導くミラーユニットとを備えている。また、光学ユニットは、光源ユニットやミラーユニットなどの構成部品の配置精度が高いものの、可動部分であるために移動負荷が小さくなるように製造されている。
【０００４】
従って、光学ユニットの保護を図る上で、原稿読取装置の製造後からユーザ側の設置場所までの運搬や搬送に際して、光学ユニットが原稿読取装置本体の筐体内で動かないようにロックすることが行われている。
【０００５】
具体的には、原稿読取装置本体の筐体外装台板の外側からビスを用い、光学ユニットの内部ミラーユニットを外装台板にロックするようにしている。この場合、ミラーユニットは、光源ユニットと連結されているので、ミラーユニットをロックすることで光学ユニット全体が移動不能にロックされる。
【０００６】
また、その他のロック方法としては、外装台板の外側から固定治具をビスで取り付け、ミラーユニットを外装台板にロックする。そして、必要に応じて固定治具の外側に更に防塵マイラーをビスで止めているものもある。
【０００７】
上述の如くいずれのロック方法においても、原稿読取装置がユーザ側に設置された後は、ビスや固定治具を外すことによって光学ユニットのロックが解除され、原稿読取装置が使用可能となる。
【０００８】
【発明が解決しようとする課題】
ところで、近年の装置のコンパクト化が進行する中で、コンソールタイプの画像形成装置のように一旦設置した後に移動させない装置は少なくなっており、原稿読取装置においても設置後に頻繁に移動させる頻度は高いものとなる。
【０００９】
その場合、ユーザによる原稿読取装置の移動時に、光学ユニットの振動による部品配置精度の変化や光学ユニットの破損などを配慮する必要がある。
【００１０】
しかしながら、上述した従来のロック方法は、ユーザによる原稿読取装置の移動時に光学ユニットをロックすることを考慮したものではなく、あくまでも、光学ユニットのロックを行う期間がユーザ側に設置されるまでの限定された期間であるため、原稿読取装置の設置後の移動時にユーザ側で光学ユニットをロックした場合には、ユーザの不慣れも手伝って、以下に示すような課題が生じることになる。
【００１１】
すなわち、原稿読取装置の設置後にユーザ側で光学ユニットをロックした状態で原稿読取装置を移動させて設置した際に、ユーザが光学ユニットのロックを解除し忘れることがあり、この状態で、原稿読取装置を作動、つまり光学ユニットによる原稿画像の読み取りを開始しようとすると、光学ユニットがロックされているにもかかわらずそれを走査方向に移動させるモータの駆動力が光学ユニットに伝達され、光学ユニットが損傷することになる。
【００１２】
本発明は、かかる点に鑑みてなされたものであり、その目的とするところは、光学ユニットのロック状態の解除をユーザが容易に確認できるようにして、光学ユニットの損傷を確実に防止し得る原稿読取装置および原稿読取装置のロック状態検知方法を提供することにある。
【００１３】
【課題を解決するための手段】
上記目的を達成するために、本発明では、原稿読取装置のロック状態検知方法として、原稿台上に載置された原稿の画像を光ビームの出射により露光しながら走査して読み取る光学ユニットと、原稿読取装置本体移動時にその筐体内の所定位置に上記光学ユニットをロックし、この光学ユニットがロック状態にあるときに光学ユニットの光ビーム出射領域に突出するロック手段とを具備する。そして、原稿読取装置本体を所定位置まで移動させて設置した後、光学ユニットによる原稿画像の読み取り前に光学ユニットより光ビームを出射させ、その射出領域への上記ロック手段の突出有無によって、光学ユニットのロック状態の有無を検知するようにしている。
【００１４】
この特定事項により、光学ユニットのロック時には、ロック手段が光学ユニットの光ビーム出射領域に突出しているため、原稿画像の読み取り前に射出される光学ユニットからの光ビームをロック手段が遮光することによって、光学ユニットがロック状態であることが検知される。一方、光学ユニットのロック解除時には、ロック手段が光学ユニットの光ビーム出射領域から退避しているため、原稿画像の読み取り前に射出される光学ユニットからの光ビームをロック手段が遮光しないことによって、光学ユニットがロック解除状態であることが検知される。これにより、光学ユニットがロックされている状態でモータの駆動力が光学ユニットに伝達されることはなく、光学ユニットの損傷を確実に防止することが可能となる。
【００１５】
ここで、射出された光ビームの光量分布を検出する光検出手段を光学ユニットに具備し、光学ユニットのロック状態の有無を、上記光検出手段により検出した光ビーム射出領域でのロック手段の突出有無による光量分布に基づいて検知するようにしている場合には、光検出手段としてＣＣＤなどを用いることで、光ビーム射出領域にロック手段が突出している場合に光検出手段によって検出される光ビーム射出領域での光量分布と、光ビーム射出領域からロック手段が退避している場合に光検出手段によって検出される光ビーム射出領域での光量分布とが互いに異なるので、それぞれの光量分布に基づいて光学ユニットのロック状態の有無を簡単に検知することが可能となる。
【００１６】
これに対し、射出された光ビームの光量の減少を検出する光検出手段を光学ユニットに具備し、光学ユニットのロック状態の有無を、上記光検出手段により検出した光ビーム射出領域へのロック手段の突出による光量減少に基づいて検知するようにしている場合には、光検出手段としてＣＣＤなどを用いることで、光ビーム射出領域にロック手段が突出していると、光検出手段によって検出される光ビーム射出領域での光量が減少するので、その光量の減少に基づいて光学ユニットのロック状態の有無を簡単に検知することが可能となる。
【００１７】
また、本発明では、原稿台上に載置された原稿の画像を光ビームの出射により露光しながら走査して読み取る光学ユニットと、原稿読取装置本体移動時に、装置筐体内の所定位置に上記光学ユニットをロックし、この光学ユニットがロック状態にあるときに光学ユニットの反射光像の射出領域に突出するロック手段とを具備し、原稿読取装置本体を所定位置まで移動させて設置した後、光学ユニットによる原稿画像の読み取り前に、光学ユニットより反射光像を読み取り、その射出領域への上記ロック手段の突出有無によって、光学ユニットのロック状態の有無を検出するようにしている。
【００１８】
この特定事項により、簡単な構成で、光学ユニットのロック状態の有無を検知することが可能となる。
【００１９】
特に、ロック手段を具体的に示すものとして、以下の構成が掲げられる。
【００２０】
すなわち、反射光像の光量分布を検出する光検出手段を光学ユニットに具備し、光学ユニットのロック状態の有無を、上記光検出手段により検出した反射光像の出射領域でのロック手段の突出有無による光量分布に基づいて検出するようにしている。
【００２１】
この特定事項により、簡単な構成で、光学ユニットのロック状態またはロック解除状態を検知することが可能となる。
【００２２】
また、反射光像の光量分布を検出する光検出手段を光学ユニットに具備し、光学ユニットのロック状態の有無を、上記光検出手段により検出した反射光像の出射領域でのロック手段の突出有無による光量減少に基づいて検出するようにしている場合には、簡単な構成で、光学ユニットのロック状態またはロック解除状態を検知することが可能となる。
【００２３】
更に、本発明では、原稿読取装置のロック状態検知方法として、原稿台上に載置された原稿の画像を光ビームの出射により露光しながら走査して読み取る光学ユニットと、原稿読取装置本体移動時にその筐体内の所定位置に上記光学ユニットをロックし、この光学ユニットがロック状態にあるときに光学ユニットの光ビーム出射領域に突出するロック手段と、このロック手段に対し係脱自在に係合し、ロック手段による光学ユニットのロック解除時にロック手段から離脱してロック解除状態を表示するロック解除表示部材とを具備し、原稿読取装置本体を所定位置まで移動させて設置した後、光学ユニットによる原稿画像の読み取り前に、ロック解除表示部材に対しロック手段から離脱する方向に力を作用させてロック解除状態を表示させるとともに、光学ユニットより射出させた光ビームの射出領域への上記ロック手段の突出有無によって光学ユニットのロック状態の有無を検知するようにしている。
【００２４】
この特定事項により、光学ユニットによる原稿画像の読み取り前に、ロック解除表示部材に対しロック手段から離脱する方向（例えば引張方向）に力を作用させて光学ユニットのロック状態の有無が検知される上、原稿画像の読み取り前に射出される光学ユニットからの光ビームの出射領域でのロック手段の出退によって光学ユニットのロック状態の有無が検知される。これにより、簡単な構成および検知方法で、光学ユニットのロック状態の有無の検知を２重にチェックすることが可能となり、ロック状態の光学ユニットにモータの駆動力が伝達されることを防止して、光学ユニットの損傷をより確実に防止することが可能となる。
【００２５】
ここで、射出された光ビームの光量分布を検出する光検出手段を光学ユニットに具備し、光学ユニットのロック状態の有無を、上記光検出手段により検出した光ビーム射出領域でのロック手段の突出有無による光量分布に基づいて検知するようにしている場合には、光検出手段としてＣＣＤなどを用いることで、光ビーム射出領域でのロック手段の出退による光量分布に基づいて光学ユニットのロック状態の有無を簡単に検知することが可能となる。
【００２６】
これに対し、射出された光ビームの光量の減少を検出する光検出手段を光学ユニットに具備し、光学ユニットのロック状態の有無を、上記光検出手段により検出した光ビーム射出領域へのロック手段の突出による光量減少に基づいて検知するようにしている場合には、光検出手段としてＣＣＤなどを用いることで、光ビーム射出領域に突出した際のロック手段による光量の減少に基づいて光学ユニットのロック状態の有無を簡単に検知することが可能となる。
【００２７】
【発明の実施の形態】
以下、本発明の実施の形態を図面に基づいて説明する。
【００２８】
＜第１の実施の形態＞
図１は、本発明の第１の実施形態に係わる原稿読取装置としての原稿読取ユニット５を備えたデジタル複合機１の全体構成を示す断面図である。
【００２９】
図１において、デジタル複合機１は、複写機、ファクシミリおよびプリンタの各機能を備えている。また、デジタル複合機１の上面には透明ガラスからなる原稿台１１が設けられている。この原稿台１１上には原稿がセットされるようになっている。この場合、原稿台１１上にはＯＣ（ｏｒｉｇｉｎａｌ  ｃｏｖｅｒ）マット（図示せず）がガラス面上に接触した状態で設けられている。
【００３０】
原稿台１１の下部は、原稿読取装置としてのスキャナ２１が配設された原稿読取りユニット２となっている。スキャナ２１は、原稿台１１上に載置された原稿の画像を走査して読み取るもので、原稿面上を露光するランプリフレクターアセンプリ２２、および原稿からの反射光像（光ビーム）を光電変換素子であるＣＣＤ２３に導くための第１の反射ミラー２４ａを搭載してなる光源ユニットとしての第１の走査ユニット２４（光学ユニット）と、第１の反射ミラー２４ａからの反射光像をＣＣＤ２３に導くための第２、第３の反射ミラー２５ａ，２５ｂを搭載してなるミラーユニットとしての第２の走査ユニット２５（光学ユニット）と、原稿からの反射光像を上述した各反射ミラー２４ａ，２５ａ，２５ｂを介して電気的画像信号に変換するＣＣＤ２３上に結像させるための光学レンズ２６と、原稿からの反射光像を電気的画像信号に変換する上述したＣＣＤ２３とを備えている。上記第１の走査ユニット２４および第２の走査ユニット２５は、原稿台１１の下面において駆動モータ（図示せず）の駆動力によってそれぞれ走査方向（図では左右方向）に往復動するように互いに連結され、原稿台１１の上面に載置された原稿の画像をランプリフレクターアセンブリ２２から照射されたレーザ光によって露光走査するようになされている。この場合、第１の走査ユニット２４および第２の走査ユニット２５は、原稿台１１上の原稿の画像を露光走査すると、ホームポジション（図１に示す位置）に戻って待機しており、デジタル複合機１を作動させる主電源スイッチ（図示せず）のＯＦＦ時にもホームポジションに位置するようになっている。
【００３１】
また、スキャナ２１は、原稿台１１上の原稿の画像を、所定の露光位置にて読み取るようになっている。このスキャナ２１にて読み取られた原稿画像は、画像データとして図示しない画像データ入力部へと送られ、画像データに対して所定の画像処理が施された後、画像処理部の画像メモリに一旦記憶され、出力指示に応じて画像メモリ内の画像を読み出してレーザー書き込みユニット（以下、ＬＳＵと称する）３１に転送される。
【００３２】
ＬＳＵ３１は、画像メモリから読み出した画像データ、または外部の装置から転送されてきた画像データに応じてレーザ光を出射する半導体レーザー光源、レーザ光を等角速度偏向するボリゴンミラー、等角速度で偏向されたレーザー光が画像形成ユニット３を構成する感光体ドラム３２上において等角速度で偏向されるように補正するｆ−θレンズなどを有している。
【００３３】
上記画像形成ユニット３は、周知である感光体ドラム３０の周囲に、感光体ドラム３２を所定の電位に帯電させる帯電器３２、感光体ドラム３０上に形成された静電潜像にトナーを供給して顕像化する現像装置３３、感光体ドラム３０表面に形成されたトナー像をシート（図示せず）に転写する転写器３４、余分なトナーを回収するクリーニング装置３５、および除電器３６を備えている。
【００３４】
また、原稿読取装置本体としてのスキャナ本体１０の筐体最下部には、シートを収容する給紙カセット４１が装着されている。さらに、スキャナ本体１０の筐体内には、給紙カセット４１から画像形成部３（転写器３４および定着装置４４など）を経由して排紙トレイ４２に至る用紙搬送路が形成されている。この用紙搬送路には、半月状の給紙ローラ４１ａと、それぞれ一対の搬送ローラ４３ａ，４３ａ、定着ローラ４４ａ，４４ａ、および排紙ローラ４２ａ，４２ａとが配置されている。また、スキャナ本体１０の筐体内には、給紙カセット４１の直上方に装着された手差しトレイ４５を上記各レジストローラ４３ａの搬送方向上流側で合流させる用紙搬送路が形成されており、この用紙搬送路には、手差しトレイ４５からのシートを各搬送ローラ４３ａに給紙する半月状の給紙ローラ４１ａが配置されている。この場合、各搬送ローラ４３ａのシート搬送方向下流側には、図示しないレジスト前検知スイッチおよびこのレジスト前検知スイッチからの信号に基づいて感光体ドラム３０上のトナー画像とシートとの位置合わせを行うレジストローラ対が設けられている。
【００３５】
そして、シートに画像形成する場合には、矢印方向に回転する感光体ドラム３０の表面に対して、帯電器３２が単一極性の電荷を均一に付与した後、ＬＳＵ３１が画像メモリからの画像データ、または外部の装置からの画像データに基づいて変調した画像光を照射し、感光体ドラム３０の表面に光導電作用による静電潜像を作成する。また、現像装置３３は、感光体ドラム３０の表面にトナーを供給し、静電潜像をトナー画像に顕像化する。さらに、給紙カセット４１または手差しトレイ４５からのシートは、感光体ドラム３０の回転に先立って、給紙ローラ４１ａまたは４５ａの回転により１枚ずつ用紙搬送路内に給紙され、搬送方向前端部をレジストローラ対に当接させた状態で停止している。
【００３６】
レジストローラ対は、感光体ドラム３０と転写器３４との間において、シートの搬送方向前端部が感光体ドラム３０表面のトナー画像の回転方向上流端に対向するタイミングで回転を開始し、シートを画像形成部３に導く。
【００３７】
転写器３４は、感光体ドラム３０表面のトナー画像をシートの表面に転写するものであり、シートに対し転写しきれずに感光体ドラム３０上に残留する廃トナー（残留トナー画像）はクリーニング装置３５によって除去される。そして、トナー画像が転写されたシートは定着ローラ４４ａ，４４ａを通過する間に加熱および加圧され、トナー画像を溶融させてシートの表面に定着させる。このように表面にトナー画像が定着されたシートは、排紙ローラ４２ａ，４２ａの回転によって排紙トレイ４２に排出されることになり、表面に画像形成された印刷物（シート）が提供される。この場合、各定着ローラ４４ａと各排紙ローラ４２ａとの間の用紙搬送路には、シートが定着装置４４を通過したことを検知する検知スイッチ（図示せず）、シートが各排紙ローラ４２ａの前まで到達したことを検知する排紙検知スイッチ（図示せず）が配置されている。
【００３８】
そして、本発明の特徴部分として、図２および図３に示すように、ホームポジションに位置している第２の走査ユニット２５の第３の反射ミラー２５ｂの走査方向光学レンズ２６側の直前方には、上記スキャナ２１（第１の走査ユニット２４および第２の走査ユニット２５）をホームポジション（所定位置）にロックするロック手段５が設けられている。このロック手段５は、スキャナ本体１０の筐体に対し内外方向（図２および図３では左右方向）にスライド移動可能なレバー部材５１と、このレバー部材５１の先端に上向きに突設され、ホームポジションに位置している第２の走査ユニット２５の第３の反射ミラー２５ｂにより反射した反射光像の出射領域Ｂ（図４の（ａ）に二点鎖線で囲む領域）に突出端が突出位置（図２に示す位置）まで突出して上記第３の反射ミラー２５ｂを走査方向へ移動不能に係止する係止部５２とを備えている。このように、第３の反射ミラー２５ｂを係止部５２によって係止することで、第１の走査ユニット２４および第２の走査ユニット２５がホームポジションにて走査方向へ移動不能に係止されることになる。一方、レバー部材５１をスキャナ本体１０の筐体に対し外方（図２および図３では右方向）にスライド移動させることで、その突出端つまり係止部５２が原稿からの反射光像の出射領域Ｂから退避位置（図３に示す位置）に移動し、第３の反射ミラー２５ｂの係止部５２による係止を解除して、第１の走査ユニット２４および第２の走査ユニット２５のホームポジションから走査方向への移動を可能とする。この場合、レバー部材５１は、断面多角形状に形成され、スキャナ本体１０の筐体に対し軸線回りに回転不能に支持されている。
【００３９】
また、上記ＣＣＤ２３は、原稿から各反射ミラー２４ａ，２５ａ，２５ｂおよび光学レンズ２６を介した反射光像（光ビーム）を取り入れて読み込み、その光量分布および光量の減少を検出する光検出手段としての機能を有している。このＣＣＤ２３により検出される反射光像は図４に示すような長尺矩形状を呈している。そして、上記ＣＣＤ２３により検出された反射光像の光量データは、制御部２８に入力され、この制御部２８に保存されている反射光像の出射領域Ｂでの基準光量データと比較して同一であるか否かが判定される。つまり、図４の（ａ）に示すように、レバー部材５１の係止部５２が反射光像の出射領域Ｂに突出して第１の走査ユニット２４および第２の走査ユニット２５がロック状態にあるときには、図４の（ｂ）に示すように、反射光像の出射領域Ｂに突出する係止部５２と対応している反射光像長手方向位置のＰ点において反射光像の光量が遮光により減少しているため、制御部２８の反射光像の出射領域Ｂの基準光量データと同一ではないと判定される。一方、レバー部材５１の係止部５２が反射光像の出射領域Ｂから退避して第１の走査ユニット２４および第２の走査ユニット２５がロック解除状態にあるときには、図４の（ｂ）に破線で示すように、反射光像長手方向位置のＰ点において反射光像の光量が減少していないため、制御部２８の反射光像の出射領域Ｂの基準光量データと同一であると判定される。
【００４０】
ここで、第１の走査ユニット２４および第２の走査ユニット２５をホームポジションから走査方向への移動不能とするロック手段５のロック状態の検知方法の一例を図５のフローチャートに基づいて説明する。
【００４１】
この場合、ユーザ側に設置された後でデジタル複合機１をユーザが移動させるときに、ユーザはデジタル複合機１を移動させる前に、図２に示すように、ロック手段５のレバー部材５１の係止部５２を反射光像の出射領域Ｂに突出させることにより、ホームポジションにある第３の反射ミラー２５ｂを走査方向へ移動不能に係止して、第１の走査ユニット２４および第２の走査ユニット２５をロック状態にしておき、それから、デジタル複合機１をユーザの所望する位置に移動させ、この移動位置でデジタル複合機１を作動させるに先だってロック手段５のロック状態を検知するものとする。
【００４２】
先ず、図５のフローチャートのステップＳ１において、デジタル複合機１を作動させる主電源スイッチをＯＮ操作し、ステップＳ２で、スキャナ２１のランプリフレクターアセンブリ２２より光ビームを射出してＯＣマットで反射させ、この反射光像を各反射ミラー２４ａ，２５ａ，２５ｂおよび光学レンズ２６を介してＣＣＤ２３に取り入れて読み込んだ後、制御部２８に対し反射光像の光量データとして入力する。この場合、スキャナ２１のランプリフレクターアセンブリ２２より射出される光ビームは、第１の走査ユニット２４および第２の走査ユニット２５のロック状態検出用のものであり、第１の走査ユニット２４および第２の走査ユニット２５がロック状態にある原稿画像の読み取り前に射出される。
【００４３】
次いで、ステップＳ３において、制御部２８に対し入力された反射光像の光量データが、制御部２８に保存されている反射光像の出射領域Ｂでの基準光量データと同一であるか否かを判定する。このステップＳ３の判定が、制御部２８に対し入力された反射光像の光量データが制御部２８の反射光像の出射領域Ｂの基準光量データと同一ではないと判定されたＮＯである場合には、図４の（ｂ）に示すように、反射光像の出射領域Ｂに突出する係止部５２と対応している反射光像長手方向位置のＰ点において反射光像の光量が遮光により減少しているために、レバー部材５１の係止部５２が反射光像の出射領域Ｂに突出して第１の走査ユニット２４および第２の走査ユニット２５がロック状態にあると判断して、ステップＳ４に進み、デジタル複合機１の表示部（図示せず）にロック手段５によるロックの解除を促すメッセージを表示してから、上記ステップＳ２に戻る。この場合、ロック解除メッセージは、どのような内容であっても良く、要は、係止部５２を反射光像の出射領域Ｂから退避位置に移動させるように、レバー部材５１をスキャナ本体１０の筐体に対し外方（図３では右方向）にスライド移動させる旨の内容がユーザに判ればよい。
【００４４】
一方、上記ステップＳ３の判定が、制御部２８に対し入力された反射光像の光量データが制御部２８の反射光像の出射領域Ｂの基準光量データと同一であるＹＥＳの場合には、図４の（ｂ）に破線で示すように、反射光像の出射領域Ｂに突出する係止部５２と対応している反射光像長手方向位置のＰ点において反射光像の光量が減少していないために、レバー部材５１の係止部５２が反射光像の出射領域Ｂから退避して第１の走査ユニット２４および第２の走査ユニット２５がロック解除状態にあると判断して、ステップＳ５に進む。
【００４５】
そして、ステップＳ５において、スキャナ２１の駆動モータを駆動（ＯＮ）させ、ステップＳ６で、第１の走査ユニット２４および第２の走査ユニット２５を、図示しない位置センサなどで正確な位置を検出しながら位置合わせしてから、駆動モータを停止（ＯＦＦ）する。
【００４６】
その後、ステップＳ７において、第１の走査ユニット２４および第２の走査ユニット２５が正確に位置合わせされているか否かを判定し、第１の走査ユニット２４および第２の走査ユニット２５が正確に位置合わせされるまで待機した後、ステップＳ８で、ランプリフレクターアセンブリ２２より光ビームを射出し、スキャナ２１の初期補正を行う。この初期補正としては、ＣＣＤ２３の基準値補正、シェーディング補正、読取範囲補正、γ補正などがある。
【００４７】
それから、ステップＳ９において、スキャナ２１（第１の走査ユニット２４および第２の走査ユニット２５）を原稿の読取可能な待機状態にする。
【００４８】
このように、本実施形態では、スキャナ２１のロック時には、ロック手段５のレバー部材５１の係止部５２が反射光像の出射領域Ｂに突出しているため、原稿画像の読み取り前に射出されるランプリフレクターアセンブリ２２からの反射光像の光量が係止部５２によって遮光されて減少した状態でＣＣＤ２３に取り入れられて読み込まれ、この読み込まれた反射光像の光量データが制御部２８の基準光量データと同一でないと判定されて、第１の走査ユニット２４および第２の走査ユニット２５がロック状態にあることが検知される。一方、第１の走査ユニット２４および第２の走査ユニット２５のロック解除時には、レバー部材５１の係止部５２が反射光像の出射領域Ｂから退避しているため、原稿画像の読み取り前に射出されるランプリフレクターアセンブリ２２からの反射光像の光量が遮光されることなくＣＣＤ２３に取り入れられて読み込まれ、この読み込まれた反射光像の光量データが制御部２８の基準光量データと同一であると判定されて、第１の走査ユニット２４および第２の走査ユニット２５がロック解除状態にあることが検知される。これにより、第１の走査ユニット２４および第２の走査ユニット２５がロックされている状態で駆動モータの駆動力が第１の走査ユニット２４および第２の走査ユニット２５に伝達されることはなく、第１の走査ユニット２４および第２の走査ユニット２５の損傷を確実に防止することができる。
【００４９】
しかも、原稿画像の読み取り前に射出されるランプリフレクターアセンブリ２２からの反射光像の光量の分布および減少をＣＣＤ２３によって検知することで、第１の走査ユニット２４および第２の走査ユニット２５のロック状態またはロック解除状態を簡単に検知することが可能となり、実施する上で非常に有利なものとなる。
【００５０】
＜第２の実施の形態＞
次に、本発明の第２の実施形態を図６〜図９に基づいて説明する。
【００５１】
この第２の実施形態では、ロック手段によるロック状態またはロック解除状態の検知を機械的な構成によって判断できるようにしている。なお、ロック手段を除くその他の構成は、上記第１の実施形態の場合と同じであり、同一部分については同一の符号を付してその詳細な説明は省略する。
【００５２】
すなわち、本実施形態では、図６〜図８に示すように、スキャナ本体１０移動時にその筐体内のホームポジションに第１の走査ユニット２４および第２の走査ユニット２５をロックするロック手段６と、このロック手段６に対し係脱自在に設けられ、ロック手段６による第１の走査ユニット２４および第２の走査ユニット２５のロック解除時にロック手段６から離脱してロック解除状態を表示するロック解除表示部材７とを備えている。
【００５３】
上記ロック解除表示部材７は、屈曲可能な薄い板状物よりなり、スキャナ本体１０の筐体に対し内外方向にスライド移動可能に支持されている。このロック解除表示部材７の先端（スキャナ本体１０の筐体内側端）には、上下方向に長径な略楕円形状の開口孔７１が開設されている。このロック解除表示部材７の基端は、スキャナ本体１０の筐体よりも外側に突出している。
【００５４】
ロック手段６は、スキャナ本体１０の筐体に対し回転自在に支持された断面略真円形状のレバー部材６１と、このレバー部材６１の途中位置より半径方向外方に突設され、ホームポジションに位置している第２の走査ユニット２５の第３の反射ミラー２５ｂにより反射した反射光像の出射領域Ｂに突出端が突出して上記第３の反射ミラー２５ｂを走査方向へ移動不能に係止する係止部６２と、上記レバー部材６１の先端（スキャナ本体１０の筐体内側端）に設けられ、上記ロック解除表示部材７先端の開口孔７１に対し挿脱自在に係合する係合部としての係合片６３とを備えている。このロック手段６のレバー部材６１は、その基端がスキャナ本体１０の筐体よりも外側に突出しており、手で把持して回転させることによって、係止部６２を反射光像の出射領域Ｂに突出させる第１の走査ユニット２４および第２の走査ユニット２５のロック状態と、係止部６２を反射光像の出射領域Ｂから退避させて第１の走査ユニット２４および第２の走査ユニット２５のロック解除状態とに相互に変換するようになされている。
【００５５】
上記係合片６３は、図９に示すように、レバー部材６１の先端に設けられた略円盤状の基板６４を挟んで取り付けられている。上記基板６４の直径は、上記ロック解除表示部材７先端の開口孔７１の長径よりも大径に形成されている。そして、上記係合片６３は、基板６４に対し連結部６３ａを介して連結されて反基板方向へ突出している。この連結部６３ａは、基板６４の中心より半径方向一側（係止部６２の突設方向）に設けられている。また、基板６４の中心より半径方向他側（係止部６２の反突設方向）と、これに対応する係止片６３との対応部との間には、係合片６３が上記ロック解除表示部材７先端の開口孔７１に挿通された状態で、ロック解除表示部材７の先端を挟むように切り欠いた切欠部６３ｂが設けられている。更に、係合片６３の突出側面は、その基板６４の半径方向一側端および半径方向他側端が中心に行くに従い基板６４からの距離がそれぞれ漸増する傾斜面に形成されている。この場合、係合片６３の連結部６３ａ（切欠部６３ｂ）は、その基板６４と係合片６３との間での長さがロック解除表示部材７先端の開口孔７１の長径よりも短く、かつ短径よりも十分に長くなるように設定されている。
【００５６】
そして、係合片６３は、図７に示すように、第１の走査ユニット２４および第２の走査ユニット２５のロック状態ではロック解除表示部材７の開口孔７１内に挿通されてロック解除表示部材７を離脱不能に係合する一方、図８に示すように、第１の走査ユニット２４および第２の走査ユニット２５のロック解除状態ではロック解除表示部材７の先端（開口孔７１よりも先端）を変形させてロック解除表示部材７を引き抜き方向（図６では左方向）へ引っ張ることによって係合解除するようになされている。
【００５７】
このように、本実施形態では、スキャナ２１のロック時には、ロック解除表示部材７の開口孔７１内に挿通された係合片６３の係合によって、ロック解除表示部材７を引き抜き方向へ引っ張っても係合片６３の係合が解除されることはなく、ロック解除表示部材７がロック手段６に対し離脱不能となる。一方、第１の走査ユニット２４および第２の走査ユニット２５のロック解除時には、ロック解除表示部材７の開口孔７１内に挿通された係合片６３によるロック解除表示部材７の係合は、ロック解除表示部材７の先端が変形しているために該ロック解除表示部材７を引き抜き方向へ引っ張ることによって係合片６３の係合が解除され、ロック解除表示部材７がロック手段６に対し離脱可能となる。これにより、ロック解除表示部材７の開口孔７１に対しロック手段６の係合片６３を挿脱自在に係止する簡単な構成で、第１の走査ユニット２４および第２の走査ユニット２５のロック状態またはロック解除状態を検知することができる。しかも、ロック手段６のレバー部材６１をスキャナ本体１０の筐体に対し回転させるという簡単な動作で、第１の走査ユニット２４および第２の走査ユニット２５のロック状態またはロック解除状態に相互に変換させることができる上、係合片６３によってロック解除表示部材７を係合状態と係合解除状態とに相互に変換させることができる。
【００５８】
加えて、スキャナ２１のロック時には、ロック手段５のレバー部材５１の係止部５２が反射光像の出射領域Ｂに突出しているので、原稿画像の読み取り前に射出されるランプリフレクターアセンブリ２２からの反射光像の光量データと制御部２８の基準光量データとの差によって、第１の走査ユニット２４および第２の走査ユニット２５がロック状態にあることが検知される。一方、第１の走査ユニット２４および第２の走査ユニット２５のロック解除時には、レバー部材５１の係止部５２が反射光像の出射領域Ｂから退避しているので、原稿画像の読み取り前に射出されるランプリフレクターアセンブリ２２からの反射光像の光量データが制御部２８の基準光量データと同一であると判定されて、第１の走査ユニット２４および第２の走査ユニット２５がロック解除状態にあることが検知される。
【００５９】
これによって、簡単な構成および検知方法で、第１の走査ユニット２４および第２の走査ユニット２５のロック状態またはロック解除状態の検知を２重にチェックすることができ、第１の走査ユニット２４および第２の走査ユニット２５がロックされている状態で駆動モータの駆動力が第１の走査ユニット２４および第２の走査ユニット２５に伝達されることを防止して、第１の走査ユニット２４および第２の走査ユニット２５の損傷をより確実に防止することができる。
【００６０】
＜その他の実施の形態＞
上記各実施形態では、原稿から各反射ミラー２４ａ，２５ａ，２５ｂおよび光学レンズ２６を介した反射光像をＣＣＤ２３に取り入れて読み込み、その光量分布および光量の減少を検出するようにしたが、取り入れて読み込んだ反射光像の光量分布および光量の減少のいずれか一方がＣＣＤによって検出されるようにしてもよい。
【００６１】
また、上記第２の実施形態では、ロック解除表示部材７の開口孔７１に対しロック手段６の係合片６３を挿脱自在に係止する構成と、原稿画像の読み取り前に射出されるランプリフレクターアセンブリ２２からの反射光像の光量データとに基づいて第１の走査ユニット２４および第２の走査ユニット２５のロック状態の有無を２重にチェックして検知するようにしたが、ロック解除表示部材の開口孔に対しロック手段の係合片を挿脱自在に係止する構成のみによって、第１の走査ユニットおよび第２の走査ユニットのロック状態の有無が検知されるようにしてもよい。
【００６２】
【発明の効果】
以上のように、原稿読取装置のロック状態検知方法として、光学ユニットのロック時に、原稿画像の読み取り前に射出した光ビームをその出射領域に突出するロック手段で遮光させることによって光学ユニットのロック状態を検知する一方、光学ユニットのロック解除時に、原稿画像の読み取り前に射出した光ビームの出射領域からロック手段を退避させることによって光学ユニットのロック解除状態を検知し、光学ユニットのロック状態での光学ユニットへのモータ駆動力の伝達を防止して、光学ユニットの損傷を確実に防止することができる。
【００６３】
ここで、光ビーム射出領域でのロック手段の突出有無による光量分布に基づいて光学ユニットのロック状態の有無を検知することで、光ビーム射出領域でのロック手段の有無により異なる光量分布に基づいて光学ユニットのロック状態の有無を簡単に検知することができる。
【００６４】
これに対し、光ビーム射出領域でのロック手段の突出による光量の減少に基づいて光学ユニットのロック状態の有無を検知することで、光ビーム射出領域でのロック手段の有無により異なる光量の減少に基づいて光学ユニットのロック状態の有無を簡単に検知することができる。
【００６５】
また、原稿読取装置本体を所定位置まで移動させて設置した後、光学ユニットによる原稿画像の読み取り前に、光学ユニットより反射光像を読み取り、その射出領域へのロック手段の突出有無によって、光学ユニットのロック状態の有無を検出することで、簡単な構成で、光学ユニットのロック状態の有無を検知することができる。
【００６６】
特に、光学ユニットのロック状態の有無を、光検出手段により検出した反射光像の出射領域でのロック手段の突出有無による光量分布に基づいて検出することで、簡単な構成で、光学ユニットのロック状態またはロック解除状態を検知することができる。
【００６７】
また、光学ユニットのロック状態の有無を、光検出手段により検出した反射光像の出射領域でのロック手段の突出有無による光量減少に基づいて検出することで、簡単な構成で、光学ユニットのロック状態またはロック解除状態を検知することができる。
【００６８】
更に、原稿読取装置のロック状態検知方法として、ロック手段に対してロック解除表示部材を係脱させる簡単な構成と、光ビーム射出領域でのロック手段の出退による光学ユニットのロック状態有無の検知方法とによって、光学ユニットのロック状態の有無の検知を２重にチェックすることができ、ロック状態の光学ユニットへのモータ駆動力の伝達を防止して、光学ユニットの損傷をより確実に防止することができる。
【００６９】
ここで、光ビーム射出領域でのロック手段の突出有無による光量分布に基づいて光学ユニットのロック状態の有無を検知することで、光ビーム射出領域でのロック手段の有無により異なる光量分布に基づいて光学ユニットのロック状態の有無を簡単に検知することができる。
【００７０】
これに対し、光ビーム射出領域でのロック手段の突出による光量の減少に基づいて光学ユニットのロック状態の有無を検知することで、光ビーム射出領域でのロック手段の有無により異なる光量の減少に基づいて光学ユニットのロック状態の有無を簡単に検知することができる。
【図面の簡単な説明】
【図１】本発明の第１の実施形態に係わるスキャナを備えたデジタル複合機の構成を示す縦断面図である。
【図２】同じく図１の矢印Ｘ方向から見たロック手段による第３の反射ミラーのロック状態を示す断面図である。
【図３】同じく図１の矢印Ｘ方向から見たロック手段による第３の反射ミラーのロック解除状態を示す断面図である。
【図４】（ａ）は同じく図１の矢印Ｘとは反対方向から見たロック手段による第３の反射ミラーのロック状態を示す図である。（ｂ）は同じくロック手段による第３の反射ミラーのロック状態でＣＣＤにより読み込んだ反射光像の光量分布を示す図である。
【図５】同じくスキャナのロック状態検知方法の一例を説明するフローチャート図である。
【図６】本発明の第２の実施形態に係わるスキャナを備えたデジタル複合機の構成を示す縦断面図である。
【図７】同じく第３の反射ミラーのロック状態でのロック手段に対するロック解除表示部材の係合状態を示す斜視図である。
【図８】同じく第３の反射ミラーのロック解除状態でのロック手段に対するロック解除表示部材の係合解除状態を示す斜視図である。
【図９】同じくレバー部材先端の係合片付近を示す斜視図である。
【符号の説明】
１０          スキャナ本体（原稿読取装置本体）
１１          原稿台
２            スキャナ（原稿読取装置）
２３          ＣＣＤ（光検出手段）
２４          第１の走査ユニット（光源ユニット、光学ユニット）
２５          第２の走査ユニット２５（ミラーユニット、光学ユニット）
５，６        ロック手段
６３          係合片（係合部）
７            ロック解除表示部材
７１          開口孔
Ｂ            反射光像の射出領域（光ビームの射出領域）
【図１】
0003764072.tif 000002
【図２】
0003764072.tif 000003
【図３】
0003764072.tif 000004
【図４】
0003764072.tif 000005
【図５】
0003764072.tif 000006
【図６】
0003764072.tif 000007
【図７】
0003764072.tif 000008
【図８】
0003764072.tif 000009
【図９】
0003764072.tif 000010